(57)【要約】      （修正有）【課題】コンパクト且つ適切に収容することができる組み立て式仮設トイレ用台座天井ユニット及び組み立て式仮設トイレを提供する。【解決手段】周壁部６の下方に着脱可能に設けられて内部に便槽１３を有する台座部２と、周壁部６の上方に着脱可能に設けられる天井部１０とを備える組み立て式仮設トイレユニット１用の台座天井ユニットであって、天井部１０は、台座部２の底面側に設置可能なものであり、台座部２の底面側から便槽１３に当接して便槽１３を支持する突起部を備える。【選択図】図１
2014194143.tif 000002
【特許請求の範囲】
【請求項１】
周壁部の下方に着脱可能に設けられて内部に便槽を有する台座部と、前記周壁部の上方に着脱可能に設けられる天井部とを備える組み立て式仮設トイレ用の台座天井ユニットであって、
前記天井部は、前記台座部の底面側に設置可能なものであり、前記台座部の底面側から前記便槽に当接して該便槽を支持する突起部を備えるものである台座天井ユニット。
【請求項２】
前記突起部が複数設けられていることを特徴とする請求項１に記載の台座天井ユニット。
【請求項３】
複数の前記突起部の高さ位置が同じであることを特徴とする請求項１又は請求項２に記載の台座天井ユニット。
【請求項４】
隣り合う前記突起部の間に形成された谷部の面と前記天井部の上面とが面一に一体に構成されていることを特徴とする請求項１から請求項３のいずれか１項に記載の台座天井ユニット。
【請求項５】
前記突起部は、前記天井部の長さ方向の中心部に設けられた中央突起部と、該中央突起部と前記天井部の長さ方向の両端部との間にそれぞれ設けられた外側突起部とを備えることを特徴とする請求項１から請求項４のいずれか１項に記載の台座天井ユニット。
【請求項６】
前記突起部の側面が山状に傾斜していることを特徴とする請求項１から請求項５のいずれか１項に記載の台座天井ユニット。
【請求項７】
前記突起部は、前記天井部の長さ方向の中央部に設けられ、且つ前記天井部の長さ方向の両端部には設けられていないものであることを特徴とする請求項１から請求項６のいずれか１項に記載の台座天井ユニット。
【請求項８】
前記突起部の先端に、複数の小突起が形成されていることを特徴とする請求項１から請求項７のいずれか１項に記載の台座天井ユニット。
【請求項９】
前記突起部の先端中央部に凹部が形成され、該凹部の両端に前記小突起が形成されていることを特徴とする請求項８に記載の台座天井ユニット。
【請求項１０】
前記突起部は、前記天井部の奥行方向に亘って延在しているものであることを特徴とする請求項１から請求項９のいずれか１項に記載の台座天井ユニット。
【請求項１１】
前記突起部の突出方向に突出し、前記台座部が前記天井部に設置されたときに、前記台座部と前記天井部との相対移動を規制する上面突出部が、前記天井部に設けられていることを特徴とする請求項１から請求項１０のいずれか１項に記載の台座天井ユニット。
【請求項１２】
請求項１から請求項１１のいずれか１項に記載の台座天井ユニットと、
折り畳み可能な前記周壁部と、
前記台座部の上に設置される便器と、
前記台座部の上に登るための踏み台部と
を備える組み立て式仮設トイレ。
【発明の詳細な説明】
【技術分野】
【０００１】
本発明は、組み立て式仮設トイレ用台座天井ユニット及び組み立て式仮設トイレに関し、特に、排泄物を収容する便槽を備えた組み立て式仮設トイレ用台座天井ユニット及び組み立て式仮設トイレに関する。
【背景技術】
【０００２】
従来から、工事現場や野外イベント会場、災害発生時の避難所等において用いられる仮設トイレが知られている（例えば、特許文献１）。このような仮設トイレとして、便槽を内蔵し、建屋と一体的に組み込まれている車載移動式木造建屋一体型仮設簡易水洗トイレがある。この仮設トイレでは、便槽を地面に埋設する方式に代えて、便槽を内蔵した構成が採用されている。そして、この仮設トイレは、車によって運搬され、現地で仮設用ブロックなどの上に降ろされて、土台を仮固定することによって設置されるものである。
【先行技術文献】
【特許文献】
【０００３】
【特許文献１】特開２００７−４００７１号公報
【発明の概要】
【発明が解決しようとする課題】
【０００４】
しかしながら、前述した仮設トイレは、完成した建屋ごと移動することが前提となっており、占有する体積が大きいため、一度に多くの仮設トイレを収容することは困難である。例えば災害時の仮設トイレは、平常時には使用しないため、非常用に予め収容して保管しておく必要がある。この保管に際して、仮設トイレを分解して収容しておくことが考えられる。このとき、複数個の仮設トイレを収容する場合には、省スペース化を図るために、仮設トイレの構成部材を積み重ねて収容することが望ましい。その一方で、仮設トイレの構成部材を積み重ねて収容すると、収容スペースはコンパクトになるものの下層の部材に過度に荷重がかかってしまう。特に便槽は、内部が空間であるため、積み重ねた場合、変形などが生じやすい。加えて、仮設トイレは非常用に長期間保管される場合があり、便槽を積み重ねて収容しない場合であっても、自重によって便槽が変形してしまう可能性が考えられる。
【０００５】
上記に鑑みて本発明は、コンパクト且つ適切に収容することができる組み立て式仮設トイレ用台座天井ユニット及び組み立て式仮設トイレを提供することを目的とする。
【課題を解決するための手段】
【０００６】
上記目的を達成するために、本発明に係る組み立て式仮設トイレ用の台座天井ユニットは、周壁部の下方に着脱可能に設けられて内部に便槽を有する台座部と、周壁部の上方に着脱可能に設けられる天井部とを備える組み立て式仮設トイレ用の台座天井ユニットであって、天井部は、台座部の底面側に設置可能なものであり、台座部の底面側から便槽に当接して該便槽を支持する突起部を備えるものである。
【０００７】
本発明に係る仮設トイレ用の台座天井ユニットにおいて、天井部が台座部の底面側から便槽に当接して該便槽を支持する突起部を備えるものであるため、台座天井ユニットをコンパクト且つ適切に収容することができる。
【０００８】
突起部は複数設けられていてもよい。この場合、便槽を支持することによって天井部に加えられる負荷を分散させることができる。
【０００９】
一例として、複数の突起部の高さ位置が同じであるように構成してもよい。このように構成することにより、便槽を使用したことによって便槽が撓んだ場合であっても、便槽のガタつきを抑えて便槽を確実に支持することができる。
【００１０】
隣り合う突起部の間に形成された谷部の面と天井部の上面とが面一に一体に構成されていてもよい。これにより、谷部に加わった負荷を天井部の上面に分散させることができる。
【００１１】
例えば、突起部は、天井部の長さ方向の中心部に設けられた中央突起部と、該中央突起部と天井部の長さ方向の両端部との間にそれぞれ設けられた外側突起部とを備えるものである。これにより、安定且つ確実に便槽を支持することができる。
【００１２】
突起部の側面が山状に傾斜しているものであってもよい。これにより、天井部の上面から垂直に立ち上がる突起部を形成した場合又は天井部の上面から突出方向に向かって径が広くなるような突起部を形成した場合と比較して、天井部の上面から立ち上がる突起部の立ち上がり部に加わる負荷を分散させることができる。
【００１３】
一例として、突起部は、天井部の長さ方向の中央部に設けられ、且つ天井部の長さ方向の両端部には設けられていないものである。これにより、便槽の中央部を確実に支持することができると共に、天井部の長さ方向の両端部に突起部を設けないことによって、全体の軽量化を図ることができる。加えて、天井部の長さ方向の両端部に突起部が設けられていないことから、台座部の側壁において、長さ方向の両端部に凹部を形成した場合、突起部に邪魔されることなく、この凹部に手や挿入具等を挿入することができる。したがって、把手又は挿入口として機能する凹部を台座部の側壁において、長さ方向の両端部に形成することができる。
【００１４】
突起部の先端に、複数の小突起が形成されていてもよい。これにより、天井部に加わる負荷をさらに分散させることができる。
【００１５】
例えば、突起部の先端中央部に凹部が形成され、該凹部の両端に小突起が形成されていてもよい。これにより、最も荷重がかかり易い先端中央部の負荷を分散させることができる。
【００１６】
突起部は、天井部の奥行方向に亘って延在しているものであってもよい。これにより、天井部の奥行方向の剛性を高めることができる。前記突起部の突出方向に突出し、前記台座部が前記天井部に設置されたときに、前記台座部と前記天井部との相対移動を規制する上面突出部が、前記天井部に設けられているようになっていてもよい。上面突出部が設けられていることによって、天井部に台座部を積み重ねた際に、台座部が天井部に対して、長さ方向及び奥行方向にずれることを抑止することができる。
【００１７】
本発明に係る組み立て式仮設トイレは、例えば、前述の台座天井ユニットと、折り畳み可能な周壁部と、台座部の上に設置される便器と、台座部の上に登るための踏み台部とを備える。これにより、仮設トイレをコンパクト且つ適切に収容することができる。
【発明の効果】
【００１８】
本発明によれば、コンパクト且つ適切に収容することができる組み立て式仮設トイレ用台座天井ユニット及び組み立て式仮設トイレを提供することができる。
【図面の簡単な説明】
【００１９】
【図１】本実施形態に係る組み立て式仮設トイレユニット１の分解斜視図である。
【図２】図１に示す仮設トイレユニット１を組み立てた状態を示す斜視図である。
【図３】図１に示す仮設トイレユニット１を組み立てていない状態を示す斜視図である。
【図４】図１に示す仮設トイレユニット１の天井部１０、床板部３及び台座部２の斜視図である。
【図５】図４に示す台座部２の側面図である。
【図６】図５に示す台座部２のＡ−Ａ線断面図である。
【図７】図４に示す天井部１０のＢ−Ｂ線断面図である。
【図８】図４に示す天井部１０、床板部３及び台座部２を組み合わせた状態を示す側面図である。
【図９】図４に示す床板部３の平面図である。
【図１０】図１に示す支持板４付き便器４４の平面図である。
【図１１】図１に示す周壁部６に設けられたヒンジ部６ａ，６ｂを示す斜視図である。
【図１２】他の実施形態に係る天井部１００の斜視図である。
【図１３】図１２に示す天井部１００と、台座部２を組み合わせた状態を示す側面図である。
【発明を実施するための形態】
【００２０】
以下、本発明の実施の形態を添付の図により説明する。図１に本実施形態に係る組み立て式仮設トイレユニット１の分解斜視図を示す。図２に図１に示す組み立て式仮設トイレユニット１を組み立てた状態を示し、図３に図１に示す組み立て式仮設トイレユニット１を組み立てていない状態を示す。
【００２１】
図１に示すように、組み立て式仮設トイレユニット１は、台座部２と、床板部３と、便器４４が設けられた支持板４と、踏み台部５と、持ち手９が取り付けられた周壁部６と、扉７及び扉７のラッチ部８と、天井部１０とを備えている。台座部２は、その内部に便槽１３を備えるものである。台座部２と天井部１０は、台座天井ユニットを構成するものである。
【００２２】
図２に示すように、組み立て式仮設トイレユニット１は、図１に示す各構成部材を組み立てることによって仮設トイレとして設置される。台座部２は、設置面上に置かれ、台座部２の上には床板部３が載置される。床板部３の上には便座が設けられた支持板４が載置される。周壁部６は、ラッチ部８を嵌め込んだ扉７が組み付けられると共に、床板部３の上に載置される。周壁部６の上には天井部１０が載置される。踏み台部５は、扉７の下に設置される。
【００２３】
また、仮設トイレを使用しないときには、組み立て式仮設トイレユニット１を分解した状態で保管しておくことができる。図３には、一例として、２個の組み立て式仮設トイレユニット１を分解して収容している状態を示している。図３に示すように、複数の台座部２を積み重ねて収容しておくことができる。
【００２４】
台座部２、床板部３及び天井部１０の分解斜視図を図４に示す。台座部２は、略直方体形状を有し、台座部２の上面には、便槽１３に排泄物を受け入れるための開口が形成されている。台座部２の側面図を図５に示し、Ａ−Ａ線断面図を図６に示す。
【００２５】
台座部２は、その側面を構成し、内部の便槽を外部から保護する側壁部１２を備えている。側壁部１２の内側には便槽底板１７を備え、この便槽底板１７の上面が便槽１３の底を構成している。便槽底板１７は、台座部２の下方縁部１５よりも高い位置にあり、台座部２を設置面に設置したとき、便槽底板１７と設置面の間には空間が形成される。便槽底板１７は、排泄物が便槽１３の中心部に集まりやすいように、台座部２の外側から内側に向かって緩やかに傾斜し、底板中央部１７ａは底板周縁部１７ｂよりも高さ位置が低い。本実施形態における便槽底板１７は、排泄物の重みによって形状が若干変形し得る可撓性を有している。
【００２６】
台座部２の上面２ａに形成された開口の縁部１９には全周に亘って上方に突出する床板部係合用凸部１６が設けられている。台座部２の上に載置された床板部３に、床板部係合用凸部１６が嵌め込まれるように構成されている。
【００２７】
台座部２の側壁部１２には、その下方縁部１５に凹部１４が形成されている。本実施形態においては、長さ方向に延びる対向する一組の側壁部１２の下方縁部１５に凹部１４が設けられている。第１の凹部１４ａと第２の凹部１４ｂの位置関係を図６に仮想的に示す。対向する上記側壁部１２において、一方の側壁部１２の２か所に設けられた第１の凹部１４ａに対して、他方の側壁の２か所に設けられた第２の凹部１４ｂは、それぞれ、第１の凹部１４ａと対向する位置に形成されている。
【００２８】
図４に示す天井部１０は、仮設トイレユニット１を組み立てる際に、周壁部６の上に載置してトイレ個室の天井を構成するものである。また、仮設トイレユニット１を分解して収容等しておく際に、台座部２の底面側に設置可能なものである。天井部１０のＢ−Ｂ線断面図を図７に示す。
【００２９】
天井部１０は、平面視して矩形の天井板部２０と、天井板部２０の表面から厚さ方向に突出する上面凸部２１と、上面凸部２１から厚さ方向に突出する突起部２２を備えている。天井板部２０の裏面には、周壁部６の上端６８（図１）を嵌め込むための周壁部係合用凹部２０ａが形成されている。なお、周壁部係合用凹部２０ａには、床板部３を嵌め込むことも可能である。上面凸部２１は、段差２１ａを伴って、天井板部２０の上面を覆うように設けられている。
【００３０】
上面凸部２１の上には、突起部２２が奥行方向Ｄに亘って延在している。図７に示すように、本実施形態においては、突起部２２として、第１の外側突起部２２ａと中央突起部２２ｂと第２の外側突起部２２ｃの３個の突起部２２を設けている。中央突起部２２ｂが天井部１０の長さ方向Ｌにおける中心部に配置され、その両側にそれぞれ第１の外側突起部２２ａと第２の外側突起部２２ｃが、中央突起部２２ｂに隣接して設けられている。すなわち、第１の外側突起部２２ａと中央突起部２２ｂと第２の外側突起部２２ｃとが、谷部２７を介して均等間隔を空けて連続して設けられている。本実施形態において、天井部１０の長さ方向Ｌの両端部には、突起部２２は設けられていない。各突起部２２の側面２８は、立ち上がり部２４から上方へ延び、山状に傾斜している。各突起部２２の側面２８と上面凸部２１の成す角度は９０度以上となっている。すなわち、各突起部２２は、上方へ向かうにつれて細くなっている。
【００３１】
各突起部２２の先端部には、その先端中央に奥行方向Ｄに延びる突起凹部２３が形成され、この突起凹部２３の両端に小突起２６が形成されている。すなわち、天井部１０の長さ方向Ｌの中心に中央突起部２２ｂの突起凹部２３が形成されており、当該突起凹部２３を中心にして各小突起２６及び各谷部２７が左右対称に形成されている。換言すれば、中央突起部２２ｂの突起凹部２３の中心を通り天井部１０の厚さ方向に延びる仮想軸Ｘを基準として各小突起２６及び各谷部２７が線対称に配置されている。複数の小突起２６において、突起凹部２３の底面の高さ位置はすべて同一となっており、上面凸部２１の上面の位置よりも高い。複数の小突起２６の上端部は、それぞれ平坦な先端面２６ａを有し、この先端面２６ａの高さ位置はすべて同じである。すなわち各突起部２２の高さ位置はすべて同じである。隣り合う突起部２２の間に形成された谷部２７の底面と天井部１０の上面（すなわち、上面凸部２１の上面）とは面一に一体に構成されている。すなわち、谷部２７の深さ寸法は、突起凹部２３の深さ寸法よりも大きくなっている。そして、谷部２７の底面の高さと天井部１０の上面の高さは同一になっている。
【００３２】
図４に示す天井部１０と床板部３と台座部２とが組み合わされた状態を図８に示す。図８に示す組み合わせ状態は、仮設トイレを組み立てていないときの状態を示すものである。
【００３３】
台座部２の上には床板部３が載置され、台座部２の下には天井部１０が配置されている。加えて、台座部２の上には他の天井部１０が載置されている。すなわち、図８には２個の天井部１０を図示している。ここでは、複数個の仮設トイレユニット１を同時に保管しておく場合を想定している。台座部２の上方に配置された天井部１０は、他の仮設トイレユニット１の天井部１０であり、図示していない他の台座部２の下方に配置されているものである。なお、図３に示すように、台座部２の下方に配置された天井部１０が、他の仮設トイレユニット１の天井部１０であるように台座部２を積み上げてもよい。
【００３４】
天井部１０における長さ方向Ｌのサイズと、台座部２における長さ方向Ｌのサイズは略同一である。天井部１０における奥行方向Ｄのサイズと、台座部２における奥行方向Ｄのサイズは略同一である。台座部２の側壁部１２の下方縁部１５は、天井部１０における上面凸部２１の縁部２１ｂに載置される。なお、天井部１０において突起部２２は、上面凸部２１における奥行方向Ｄの両端で縁部２１ｂの僅かに内側から立ち上がっているものである。したがって、台座部２の長さ方向Ｌにおける下方縁部１５を、天井部１０における上面凸部２１の長さ方向Ｌの縁部２１ｂに載置することができる。
【００３５】
台座部２が天井部１０の上に載置されると、天井部１０の突起部２２は、台座部２の便槽底板１７の下に形成された空間内に配されることになる。中央に位置する中央突起部２２ｂの小突起２６の先端面２６ａと、第１の外側突起部２２ａ及び第２の外側突起部２２ｃにおける各内側の小突起２６の先端面２６ａは便槽底板１７に接し、底板中央部１７ａを支持している。前述のように、底板中央部１７ａは底板周縁部１７ｂよりも高さ位置が低い。一方、各突起部２２の高さ位置は同じである。したがって、図８に図示した状態においては、第１の外側突起部２２ａ及び第２の外側突起部２２ｃにおける各外側の小突起２６の先端面２６ａは便槽底板１７に接していない。
【００３６】
便槽１３に排泄物が収容されると、その重みで便槽底板１７が下方に撓む。排泄物を取り除いた場合であっても、排泄物の荷重による便槽１３の撓みが元に戻らない場合がある。このように排泄物の荷重に起因して底板周縁部１７ｂの高さ位置が第１の外側突起部２２ａ及び第２の外側突起部２２ｃの先端まで下がっている場合には、第１の外側突起部２２ａ及び第２の外側突起部２２ｃにおける各外側の小突起２６の先端面２６ａが便槽底板１７に当接して、底板周縁部１７ｂが支持される。
【００３７】
図９に床板部３の平面図を示す。床板部３は、略矩形であり、その上面において突出する床板凸部３１を備えている。床板凸部３１によって床板部３に段差３１ａが形成されている。床板部３の裏面には、台座部係合用凹部３６（図８に仮想的に図示）が形成されている。また、床板部３の裏面周縁部３７（図８）は、全周に亘って矩形環状に延ばされた平坦面として構成されている。台座部係合用凹部３６は、台座部２の床板部係合用凸部１６を嵌め込むことができるように構成されている。
【００３８】
床板部３は、便槽１３に連通する連通孔３０を備えている。連通孔３０の縁部３１ｂには、全周にわたって、支持板４を支持する支持部３３が設けられている。支持部３３から立ち上がる床板凸部３１の側面３４は、上方に向かうにつれて連通孔３０側に傾くように僅かに傾斜している。
【００３９】
連通孔３０は、床板部３の奥行方向Ｄにおける手前側に偏心して形成され、床板部３の長さ方向Ｌに偏心して形成されている。連通孔３０が長さ方向Ｌに偏心して形成されたことにより、長さ方向Ｌにおける連通孔３０の外側領域は異なるサイズに画定される。広い方の領域に足置き場３２が形成されている。足置き場３２の表面には滑り止めのための複数の凹凸が設けられている。
【００４０】
図１０に支持板４付き便器４４の平面図を示す。図１０に示す支持板４付き便器４４は、簡易水洗用便器である。支持板４は略矩形であり、連通孔３０の縁部３１ｂに設けられた支持部３３に載置可能なサイズで形成されている。支持板４の縁部４２の側面４１は底面側に向かって僅かに拡がっている。この縁部４２の側面４１は、支持板４を床板部３に組み付けた際に、床板凸部３１の僅かに傾斜した側面３４と当接して係合するように構成されている。支持板４の裏面周縁部４７は、床板部３の支持部３３に着脱可能に載置される。
【００４１】
支持板４の上面４０には、便器４４と水洗作動装置４５が設けられている。便器４４は排泄物を排出する排出孔４６を備えている。排出孔４６は、支持板４を床板部３に載置したときに、床板部３の連通孔３０の上に位置するように設けられている。水洗作動装置４５は、水を蓄えたポリタンク（不図示）にポンプ等の水汲み揚げ手段（不図示）を介して連結されていて、水洗作動装置４５から突出するスイッチ４５ａを踏むことによって、便器４４内に水を流し、排泄物を排出孔４６から便槽１３へ押し流すものである。
【００４２】
次に、図１及び図３を参照して、踏み台部５及び周壁部６について説明する。踏み台部５は、使用者が床板部３の上に登る動作を補助する台である。踏み台部５は、略直方体であり、その内部が中空である。踏み台部５は、その内部に空間を画定する壁部５ｂを備え、上面５ａには滑り止め加工が施されている。踏み台部５の底面には、内部空間に連なる開口が形成されていて、便器４４を使用しないときに、踏み台部５の内部に便器４４を配した状態で、踏み台部５を支持板４に着脱可能に載置することができる。
【００４３】
周壁部６は、トイレの個室空間を画定するものであり、折り畳み可能に構成されている。周壁部６は、使用時においては、図１に示すように略直方体であり、内部に出入り可能とするために、扉７が組み付けられるものである。本実施形態において、扉７は周壁部６の長さ方向Ｌに延びる壁面に組み付けられる。この扉７のラッチ部８は扉７に対して着脱可能である。
【００４４】
周壁部６の壁面は、軽量化のため、内部を中空としたプラスチック製パネルによって構成されている。また、軽量化を図ると共に止水性を高めるため、折り畳み機構として、押出成形によって形成した樹脂ヒンジフレームを採用している。樹脂ヒンジフレームの第１のヒンジ部６ａと第２のヒンジ部６ｂが、周壁部６の奥行方向Ｄに延びる対向する壁面に設けられている。第１のヒンジ部６ａは、上記奥行方向Ｄに延びる壁面の両端部において、その壁面の高さ方向に亘って形成されている。第２のヒンジ部６ｂは、上記奥行方向Ｄに延びる壁面の中央部において、その壁面の高さ方向に亘って形成されている。
【００４５】
第１のヒンジ部６ａと第２のヒンジ部６ｂを図１１に示す。（ａ）図に示す第１のヒンジ部６ａにおいては、外側壁面６１に第１の切れ目６２が設けられている。（ｂ）図に示す第２のヒンジ部６ｂにおいては、内側壁面６４に第２の切れ目６５が設けられている。したがって、図１に示す状態の周壁部６において、奥行方向Ｄに延びる対向する壁面に外側から内側に向かって力が加わると、第１のヒンジ部６ａでは、内側壁面６４における、第１の切れ目６２と対向する位置を支点として上記壁面が内側に移動する。また、第２のヒンジ部６ｂでは、外側壁面６１における、第２の切れ目６５と対向する位置を支点として上記壁面が内側に折込まれる。したがって、周壁部６は、第１のヒンジ部６ａ及び第２のヒンジ部６ｂを介して、図３に示すように折り畳むことができるものである。周壁部６の奥行方向Ｄに延びる対向する壁面には、両端部に持ち手９が取り付けられている。持ち手９は、周壁部６を持ち運ぶためのものである。
【００４６】
次に、本実施形態に係る仮設トイレユニット１の使用方法について説明する。仮設トイレユニット１は、図３に示すように、使用していないときには、各構成部材に分解されて収容されているものである。図１等を参照しながら、仮設トイレの組み立てについて説明する。まず、台座部２の上に、床板部３を載置し、台座部２の床板部係合用凸部１６（図４）を、床板部３の裏面の台座部係合用凹部３６（図８）に嵌め込む。次いで、支持板４付き便器４４の支持板４を床板部３に組み付ける。ここで支持板４は、連通孔３０の縁部３１ｂに形成された支持部３３（図９）に当接して、床板部３の上に載置される。したがって、支持部３３によって支持板４が確実に支持されると共に、連通孔３０からの排泄物の臭気漏れを防止することができる。また、支持板４を床板部３に載置した際、支持板４の縁部４２の側面４１（図１０）は、床板凸部３１の僅かに傾斜した側面３４と当接して係合する。したがって、台座部２に対して支持板４をより安定させて設置することができる。
【００４７】
また、連通孔３０が床板部３の奥行方向Ｄにおける手前側に偏心して形成されているため、便器４４を床板部３の上に取り付ける際に、支持板４付き便器４４の移動距離を短くすることができる。したがって、特に支持板４付き便器４４の重量が重い場合に、組み付け作業の負担が軽減される。
【００４８】
周壁部６は、図３に示す折り畳まれた状態から、第１のヒンジ部６ａ及び第２のヒンジ部６ｂを介して、図１に示す略直方体形状に拡げられる。扉７は予め周壁部６に取り付けた状態で保管等しておいてもよいし、設置現場で周壁部６に取り付けてもよい。なお、扉７のラッチ部８は、扉７に対して着脱可能である。仮設トイレユニット１を分解した状態で保管等する際に、ラッチ部８が突出した形状を備える場合には特に、ラッチ部８を扉７から取り外しておくことが望ましい。折り畳んだ状態の複数の周壁部６を重ねて保管する際に、占有体積を減少させることができるからである。
【００４９】
周壁部６は、床板部３の上に載置される。このとき、周壁部６の下端６７（（図１）が、床板部３の上面に、床板凸部３１が周壁部６の内側に位置するように載置される。床板凸部３１によって形成された段差３１ａ（図９）によって、何らかの衝撃で周壁部６が内側に折り畳まれてしまうというアクシデントを防止することができる。
【００５０】
周壁部６の上端６８（図１）には天井部１０が載置される。天井部１０の裏面に形成された周壁部係合用凹部２０ａ（図７）に周壁部６の上端６８が嵌め込まれることによって、トイレ個室の天井が形成される。
【００５１】
台座部２は最下層に位置するが、フランジ部１８によって仮設トイレ全体の荷重を安定して支えることができる。踏み台部５は扉７の下に設置する。これにより、図２に示すような仮設トイレが完成する。
【００５２】
仮設トイレを撤去する際には、図３に示すように、仮設トイレユニット１を構成する各構成部材に分解すればよい。このとき、便槽１３に収容された排泄物は回収され、台座部２は、次の使用に備えて保管場所に収容される。複数の台座部２を積み重ねて保管する場合、図８に示すように、上層側の台座部２（不図示）の底面側に配置された天井部１０の周壁部係合用凹部２０ａ（図７）に下層側の台座部２の上に載置された床板部３が嵌め込まれる。
【００５３】
なお、図３に示すように、最上層の台座部２の上に天井部１０を被せるように積み上げてもよい。この場合、床板部３の連通孔３０から便槽１３内に埃等が入ってしまうことを防止できる。また、排泄物回収の前に台座部２を一時的に保管しておく場合には、排泄物又は排泄物の臭気が連通孔３０から漏れることを防ぐことができる。
【００５４】
図７及び図８を参照して前述したように、仮設トイレユニット１では、天井部１０の突起部２２が便槽底板１７に当接することによって、便槽１３を支持することができる。そのため、台座部２にかかる荷重を分散することができる。したがって、積み重ねられた複数の部材の荷重によって生じ得る台座部２の変形、特に便槽１３の変形を防止できる。また、台座部２を積み重ねずに保管する場合であっても、天井部１０を台座部２の底面側に配置して収容しておくことによって、便槽１３が自重によって変形することを防ぐことができる。
【００５５】
加えて、本実施形態に係る組み立て式仮設トイレユニット１では、各突起部２２の高さ位置を同じにしている。仮に、予め便槽底板１７の形状に合わせて、設けた突起部２２のすべてが便槽底板１７に当接するように、各突起部２２の高さ位置を変えて構成すると、便槽１３が撓んで便槽底板１７の形状が変化してしまったときに、突起部２２の上に載置された便槽１３がガタついてしまう。
【００５６】
しかしながら、仮設トイレユニット１においては、各突起部２２の高さ位置が同じであるため、第１の外側突起部２２ａ及び第２の外側突起部２２ｃの各外側の小突起２６の先端面２６ａと便槽底板１７との間に遊びが設けられることになる。したがって、撓んだ便槽１３についても、便槽１３のガタつきを抑えて確実に支持することができる。加えて、隣り合う突起部２２の間に形成された谷部２７の面と天井部１０の上面とは面一に一体に構成されているため、谷部２７に加わった負荷を天井部１０の上面に分散させることができる。
【００５７】
また、突起部２２の側面２８が山状に傾斜しているため、天井部１０の上面から垂直に立ち上がる突起部を形成した場合又は天井部１０の上面から突出方向に向かって径が広くなるような突起部を形成した場合と比較して、天井部１０の上面から立ち上がる突起部２２の立ち上がり部２４に加わる負荷を分散させることができる。さらに、突起部２２の先端には複数の小突起２６が形成されているため、突起部２２に加わる負荷を、小突起２６の内側立ち上がり部２５にも分散させることができる。
【００５８】
加えて、中央突起部２２ｂの先端中央部に突起凹部２３が形成され、突起凹部２３の両端に小突起２６が形成されているため、最も荷重がかかりやすい中央突起部２２ｂに加わる負荷を中央突起部２２ｂの小突起２６に分散させることができる。
【００５９】
また、第１の外側突起部２２ａと中央突起部２２ｂと第２の外側突起部２２ｃとが、谷部２７を介して均等間隔を空けて連続して設けられているため、負荷を効果的に分散させることができる。第１の外側突起部２２ａと中央突起部２２ｂと第２の外側突起部２２ｃとが左右対称に設けられているため、便槽１３をバランスよく安定的に支持することができる。
【００６０】
台座部２の下方縁部１５には、長さ方向の側壁部１２、すなわち、長辺側の側壁部１２に凹部１４が形成されている。したがって、例えば、フォークリフトによるリフト搬送を行う場合に、凹部１４にフォーク爪を挿入して台座部２を持ち上げ、複数の台座部２を長さ方向に効率良く並置することができる。加えて、凹部１４は対向する一組の側壁部１２に設けられている。したがって、例えば、フォークリフトのフォーク爪を第１の凹部１４ａ及び対向する第２の凹部１４ｂに貫通させて挿入し、台座部２を持ち上げることができる。図３に示すように、台座部２を天井部１０の上に積み上げている場合であっても、天井部１０の長さ方向Ｌの両端部には突起部２２が設けられていないため、対向する第１の凹部１４ａと第２の凹部１４ｂとの間に天井部１０の突起部２２は位置しない。したがって、複数の台座部２と天井部１０を積み上げている場合であっても、最下層の台座部２の第１の凹部１４ａ及び対向する第２の凹部１４ｂにフォーク爪を貫通させて挿入することができ、複数の台座部２を一度に持ち上げて移動させることが可能である。
【００６１】
また、複数の台座部２が奥行方向Ｄに並置されている場合、各台座部２の凹部１４の位置が揃うため、並置された複数の台座部２の第１の凹部１４ａ及び対向する第２の凹部１４ｂに、フォーク爪を貫通させて挿入することができ、並置した複数の台座部２を一度に持ち上げて移動させることが可能である。
【００６２】
支持板４付き便器４４は、図３に示すように、踏み台部５の内部に収納しておくことができる。したがって、踏み台部５によって便器４４を保護することができる。周壁部６は折り畳むことができるため、複数の周壁部６を積み重ねたり、重ねて立て掛けたりして収容等することができる。
【００６３】
以上のように、本実施形態に係る組み立て式仮設トイレユニット１及び台座天井ユニットは、コンパクト且つ適切に収容することができる。
【００６４】
以上、本発明の実施形態について述べたが、本発明は既述の実施形態に限定されるものではなく、本発明の技術的思想に基づいて各種の変形及び変更が可能である。例えば、上記実施形態に係る仮設トイレユニット１において台座部２の下方縁部１５には、凹部１４が設けられているがこれに限定されず、台座部２の下方縁部１５に凹部１４を形成しなくてもよい。この場合、台座部２における下方縁部１５の全周で、台座部２に加わる荷重を支えることができる。  
【００６５】
上記実施形態に係る仮設トイレユニット１では、３個の突起部２２ａ，２２ｂ，２２ｃが天井部１０の奥行方向Ｄのみに亘って延在するように構成されているが、これに限定されない。例えば、突起部２２は、１個又は４個以上であってもよいし、天井部１０の長さ方向Ｌのみに亘って延在させてもよいし、奥行方向Ｄ及び長さ方向Ｌに亘って格子状に延在させてもよいし、延在させずに天井部１０の上面の中心のみに形成等してもよい。上記実施形態に係る仮設トイレユニット１では、突起部に小突起２６を設けているが、これに限定されず、小突起２６を設けなくてもよい。
【００６６】
上記実施形態において、天井部１０の長さ方向Ｌの両端部には、突起部２２は設けられていないが、これに限定されず、天井部１０の長さ方向Ｌの両端部に突起部２２を設けてもよい。また、突起部２２を天井部１０の長さ方向Ｌに亘って延在させたときに、天井部１０の奥行方向Ｄの両端部に突起部２２を設けないように構成してもよい。
【００６７】
上記実施形態において、複数の突起部２２の高さ位置は同じであるが、これに限定されず、高さの異なる複数の突起部２２を形成してもよい。上記実施形態においては、隣り合う突起部２２の間に形成された谷部２７の面と天井部１０の上面とが面一に一体に構成されているが、これに限定されず、隣り合う突起部２２の間に形成された谷部２７の面と天井部１０の上面とが異なる高さ位置にあるように構成してもよい。
【００６８】
前述の突起部２２の側面２８は山状に傾斜しているが、これに限定されず、例えば、突起部２２の側面２８は、天井部１０の上面に対して垂直な側面であってもよい。上記実施形態においては、突起部２２の先端中央部に突起凹部２３が形成され、突起凹部２３の両端に小突起２６が形成されているが、これに限定されず、小突起２６が設けられていなくてもよいし、例えば、突起凹部２３が突起部２２の先端面２６ａにおいて中央以外の位置に形成されていてもよい。
【００６９】
上記実施形態に係る仮設トイレユニット１は、一例としてプラスチック製であるが、これに限定されず、他の素材によって形成してもよい。また、さらなる軽量化を図るために中空構造板を使用してもよいし、強度を高めるためにＦＲＰ（繊維強化プラスチック）を使用してもよい。
【００７０】
上記実施形態に係る仮設トイレユニット１は、周壁部６に着脱可能なトイレットペーパーホルダー及び照明等のトイレ備品をさらに備えていてもよい。上記実施形態に係る天井部１０の突起部２２は、軽量化を図るため中空に構成してもよい。
【００７１】
上記実施形態に係る仮設トイレユニット１では、簡易水洗式便器４４を採用しているが、これに限定されない。例えば、汲み取り式便器を用いてもよい。また、上記実施形態に係る仮設トイレユニット１では、支持板４付き便器４４は床板部３に着脱可能である。したがって、例えば、上記実施形態に係る支持板４付き簡易水洗式便器４４に加えて、支持板４付き汲み取り式便器を備え、これらの便器を択一的に使用するように構成してもよい。この場合、災害時において、インフラの復旧に合わせて、汲み取り式便器から簡易水洗式便器４４に取り換えて使用することができる。一例として、上記実施形態に係る仮設トイレユニット１を災害時の避難所で使用するときには、汲み取り式便器を取り付けた汲み取り式トイレとして設置し、インフラがある程度復旧した仮設住宅で使用するときには、簡易水洗式便器４４を取り付けた簡易水洗式トイレとして設置することができる。
【００７２】
台座部２を複数個積み重ねたときに、最上層に位置する台座部２の上に連通孔３０の蓋として機能する天井部１０を被せると共に、最下層に位置する台座部２の便槽１３を支持するために、予備の天井部１０をさらに備えていてもよい。台座部２と床板部３、床板部３と支持板４付き便器４４、周壁部６と床板部３、天井部１０と周壁部６又は床板部３の係合における各係合機構は、前述したものに限定されない。
【００７３】
上記実施形態では、便槽底板１７に可撓性がある場合について説明したが、これに限定されず、便槽底板１７に可撓性がなくてもよい。この場合であっても、天井部１０の突起部２２によって便槽１３を支持することにより、便槽１３に加わる負荷を軽減させることができる。
【００７４】
上記実施形態では、天井部１０を周壁部６の上端６８に載置するように形成しているがこれに限定されない。例えば、天井部１０は、周壁部６の上方において、周壁部６の内側に組み付けられるものであってもよい。上記実施形態では、台座部２を周壁部６の下に配置するように構成しているが、これに限定されない。例えば、周壁部６の下端６７が台座部２の下端と共に地面等のトイレ設置面に接し、周壁部６が台座部２を囲んで組み付けられるように構成してもよい。この場合、台座部２は、周壁部６の内側において周壁部６の下方に設けられていることになる。
【００７５】
上記実施形態においては、踏み台部５の内部に便器４４を配した状態で、踏み台部５を支持板４に載置して、踏み台部５と支持板４付き便器４４を収容しているが、これに限定されない。例えば、踏み台部５を便器４４に被せて、踏み台部５の内部に便器４４を配し、支持板４と踏み台部５の間にクリアランスが存在している状態で、踏み台部５と支持板４付き便器４４を収容してもよい。
【００７６】
他の実施形態に係る天井部１００の斜視図を図１２に示す。天井部１００は、先に説明した天井部１０の上面縁部１０１に、上面突出部１２９を設けたものである。天井部１００の上面突出部１２９以外の構成は、天井部１０と同様である。図１２に示すように、天井部１００は、平面視して矩形の天井板部１２０と、天井板部１２０の表面から厚さ方向に突出する上面凸部１２１と、上面凸部１２１から厚さ方向に突出する突起部１２２を備えている。図１２に示す実施形態においては、４個の上面突出部１２９が、天井部１００の上面の四隅に配置されている。すなわち、上面突出部１２９は、天井部１００の上面のうち長さ方向Ｌ及び奥行方向Ｄの両端に配置されている。上面突出部１２９は、天井部１００の上面縁部１０１において、天井板部１２０及び上面凸部１２１の表面から、突起部１２２の突出方向に突出している。なお、上面突出部１２９の高さは、突起部１２２の高さよりも小さくなっている。
【００７７】
図１２に示す天井部１００に前述した台座部２を組み合わせた状態を図１３に示す。図１３に示す組み合わせ状態は、図８に示した組み合わせ状態における天井部１０に代わりに天井部１００を用いたものである。上面突出部１２９は、その上端が、台座部２の下方縁部１５よりも内側に位置している。したがって、台座部２を天井部１００の上に被せたときに、上面突出部１２９は、台座部２の内側に入り込む。突起部１２２の構成は、図８等を参照して先に説明した突起部２２と同様である。突起部１２２は、便槽底板１７に当接して便槽１３（図１）を支持している。上面突出部１２９の高さは突起部１２２の高さよりも低くなっていることから、上面突出部１２９の上端と便槽底板１７の底面とは非接触な状態になっている。すなわち、上面突出部１２９の上端と便槽底板１７の底面との間には空間が確保されている。この空間は、上面突出部１２９の上端と便槽底板１７の底面との間の距離の差異を許容することから、便槽底板１７に変形などが生じても、上面突出部１２９が台座部２の設置を妨げることを防止することができる。台座部２の下方縁部１５は、全周に亘って天井部１００の上面から浮いた状態になっている。
【００７８】
天井部１００に台座部２が積み重ねられると、衝撃、振動及び自重などによって、台座部２が天井部１００に対して、長さ方向Ｌ及び奥行方向Ｄに相対移動しようとする場合がある。このとき、上面突出部１２９が設けられていることから、上面突出部１２９の外側面と台座部２の内側壁とが当接することによって、台座部２と天井部１００との長さ方向Ｌ及び奥行方向Ｄへの相対移動が規制される。そのため、天井部１００に台座部２が積み重ねられた状態において、台座部２が天井部１００に対してずれることを抑止することができる。
【００７９】
図１２及び図１３に示す実施形態においては、上面突出部１２９を４か所に設けているが、これに限定されない。例えば、天井部１００の上面縁部１０１において、対角線上に位置する２か所に、上面突出部１２９を配置してもよい。また、天井部１００の上面縁部１０１の周上に複数個の上面突出部１２９を設けてもよいし、天井部１００の上面縁部１０１の全周にわたって連続して一体的に形成された１個の上面突出部１２９を設けてもよい。また、例えば、台座部２のサイズによって、台座部２を天井部１００に被せたときに、台座部２の下方縁部１５の位置が、天井部１００の上面縁部１０１よりも内側にくるときには、上面突出部１２９を上面縁部１０１よりも内側に設けてもよい。
【００８０】
さらに、天井部１００に台座部２が積み重ねられたとき、上面突出部１２９が台座部２の内側に配されるとしたが、これに限ることはなく、上面突出部１２９が台座部２の外側に配されるようにしてもよい。この場合、上面突出部１２９の内方側の側面と台座部２の外側壁とが当接することによって、台座部２と天井部１００とのずれが抑止される。
【符号の説明】
【００８１】
１  組み立て式仮設トイレユニット
２  台座部
３  床板部
４  支持板
５  踏み台部
６  周壁部
１０，１００  天井部
１３  便槽
１４  凹部
１７  便槽底板
１８  フランジ部
２２，１２２  突起部
２３  突起凹部
２４  立ち上がり部
２６  小突起
２７  谷部
３０  連通孔
３３  支持部
４４  便器
１２９  上面突出部
【図１】
2014194143.tif 000003
【図２】
2014194143.tif 000004
【図３】
2014194143.tif 000005
【図４】
2014194143.tif 000006
【図５】
2014194143.tif 000007
【図６】
2014194143.tif 000008
【図７】
2014194143.tif 000009
【図８】
2014194143.tif 000010
【図９】
2014194143.tif 000011
【図１０】
2014194143.tif 000012
【図１１】
2014194143.tif 000013
【図１２】
2014194143.tif 000014
【図１３】
2014194143.tif 000015